(57)【要約】【課題】企業やその他の団体又は一般家庭等のユーザーが防災用備蓄品を備蓄するにあたり、それらを購買するもではなく、レンタルやリース等の貸与手段により、一定期間レンタルまたはリースするシステムであって、提供する防災用備蓄品を予め選定しセット品として提供し、個別の商品選定が不要で、初期費用の負担が少ない、又は不要な防災用備蓄品貸与システムを提供することを目的とする。【解決手段】予め選定された防災用備蓄品群７０からユーザーＵが選定する備蓄品を、前記ユーザーＵに対して、所定の貸与期間において貸与する防災用備品貸与システム１０であって、前記防災用備蓄品群７０を記憶する防災用備蓄品記憶手段２０と、前記防災用備蓄品群７０の供給の管理を行う防災用備蓄品供給管理手段２０と、前記防災用備蓄品群７０の備蓄品の品質保証期間または賞味期間の期限管理を行う防災用備蓄品期限管理手段２０とを備えるよう構成した。【選択図】    図１
2020160797.tif 000002
【特許請求の範囲】
【請求項１】
予め選定された防災用備蓄品群の中からユーザーが選定する備蓄品を、前記ユーザーに対して、所定の貸与期間において貸与する防災用備品貸与システムであって、
前記防災用備蓄品群を記憶する防災用備蓄品記憶手段と、
前記防災用備蓄品群の供給の管理を行う防災用備蓄品供給管理手段と、
前記防災用備蓄品群の備蓄の品質保証期間または／及び賞味期間の期限管理を行う防災用備蓄品期限管理手段とを備え、
前記ユーザーは、前記防災用備蓄品記憶手段に記憶された前記防災用備蓄品群から貸与される備蓄品を選択し、前記防災用備蓄品供給管理手段から防災用備蓄品群の供給を受け、前記防災用備蓄品期限管理手段により、防災用備蓄品群の管理が行われてなることを特徴とする防災用備蓄品貸与システム。
【請求項２】
前記防災用備蓄品記憶手段は、前記選定された防災用備蓄品群からさらに最小限必要であると認められる防災用備蓄品群を一つのパッケージとして記憶する防災用備蓄品セット記憶手段を含めてなることを特徴とする請求項１に記載の防災用備蓄品貸与システム。
【請求項３】
前記貸与期間を、前記防災用備蓄品群に含まれる備蓄品の品質保証期間及び賞味期間のうち最短の期間と同期間またはそれより短い期間として設定してなることを特徴とする請求項１又は２に記載の防災用備蓄品貸与システム。
【請求項４】
前記防災用備蓄品供給管理手段は、前記貸与期間中に災害によって使用された防災用備蓄品を無償で補填する無償補充手段を含むことを特徴とする請求項１乃至３の何れか一に記載の防災用備蓄品貸与システム。
【請求項５】
前記防災用備蓄品の貸与は、レンタル会社が前記ユーザーに対して前記防災用備蓄品をレンタルすることにより行うことを特徴とする請求項１乃至４の何れか一に記載の防災用備蓄品貸与システム。
【請求項６】
前記防災用備蓄品の貸与は、前記防災用備蓄を供給するサプライヤーがリース方式にて行うことを特徴とする請求項１乃至４の何れか一に記載の防災用備蓄品貸与システム。
【請求項７】
貸与された前記防災用備蓄品備蓄品情報を、前記ユーザーがインターネット上で閲覧することのできる閲覧システムを備えてなることを特徴とする請求項１乃至６の何れか一に記載の防災用備蓄品貸与システム。
【請求項８】
予め選定された防災用備蓄品群の中からユーザーが選定する備蓄品を、前記ユーザーに対して、所定の貸与期間において貸与する防災用備品貸与方法であって、
前記防災用備蓄品群を記憶する防災用備蓄品記憶手段と、
前記防災用備蓄品群の供給の管理を行う防災用備蓄品供給管理手段と、
前記防災用備蓄品群の商品の品質保証期間または／及び賞味期間の期限管理を行う防災用備蓄品期限管理手段とを備え、
前記ユーザーが前記防災用備蓄品記憶手段に記憶された前記防災用備蓄品群から貸与される備蓄品を選択するステップと、前記ユーザーが前記防災用備蓄品供給管理手段から防災用備蓄品群の供給を受けるステップと、前記防災用備蓄品期限管理手段により、前記防災用備蓄品群の管理が行われるステップとを備えるてなることを特徴とする防災用備蓄品貸与システム。
【請求項９】
前記防災用備蓄品記憶手段は、前記選定された防災用備蓄品群からさらに最小限必要であると認められる防災用備蓄品群を一つのパッケージとして記憶する防災用備蓄品セット記憶手段を含めてなることを特徴とする請求項８に記載の防災用備蓄品貸与方法。
【請求項１０】
前記貸与期間は、前記防災用備蓄品群に含まれる備蓄品の品質保証期間及び賞味期間のうち最短の期間と同期間またはそれより短い期間として設定されるステップを備えてなることを特徴とする請求項８又は９に記載の防災用備蓄品貸与方法。
【請求項１１】
前記防災用備蓄品供給管理手段は、前記貸与期間中に災害によって使用された防災用備蓄品を無償で補填する無償補充手段を含めてなることを特徴とする請求項８乃至１０の何れか一に記載の防災用備蓄品貸与方法。
【発明の詳細な説明】
【技術分野】
【０００１】
本発明は、主として天災地変その他の災害が生じた場合に必要とされる防災用備蓄品を、簡易かつ経済的に負担の少ない方法にて備蓄できるシステムを提供することを目的とする。
【背景技術】
【０００２】
日本は、その地勢上地震が多発し、近年では、例えば、阪神淡路大震災や東日本大震災のように、大地震による災害が発生している。また、今後もそのような地震が起こる可能性が指摘されている。さらに、近年の異常気象により河川の氾濫等による水害も頻発している。
【０００３】
このような災害の発生に備えて、生命を守るため、また、企業が災害による損害を最小限に抑え、事業の継続や復旧を図るためにも、企業やその他の団体又は一般家庭においても、一定の防災用備蓄品を備える必要性が生じている。
【０００４】
従来、前述のような防災用備蓄品システムとしては、例えば、特開２０１３−２４６２５号（特許文献１）に記載された防災用備蓄品システムが公知である。前記の防災用備蓄品システムは、防災用に一定数の物品を備蓄するために、備蓄された複数の物品に関する備蓄情報を記憶するための記憶部と、備蓄情報に基づいて、複数の物品の個数がしきい値よりも多い場合に、複数の物品のうちの少なくとも１つを販売可能と判定するための判定部と、判定部により販売可能と判定された結果、販売された物品の個数を、補充必要数として通知するための通知部とを備える防災用備蓄品システムであり、組織内において、防災用物品を効率良く備蓄することのできる防災備蓄システムである。
【０００５】
そして、前記防災用備蓄品貸与システムによると、しきい値よりも多い物品が備蓄されていれば、防災用の物品を販売することができ、したがって、物品を備蓄する組織の経営者にとって、固定的に物品を備蓄しておくよりも、備蓄のための費用を低減させることができる。また、余剰物品の個数分しか販売対象にならないため、一定数の物品を常に確保することができる。さらに、販売された物品の個数が補充必要数として通知されるため、備蓄物品の回転を良くすることができる。
【０００６】
【特許文献１】特開２０１３−２４６７２５号公報  第１頁
【発明の概要】
【発明が解決しようとする課題】
【０００７】
しかしながら、前記防災用備蓄品システムは、すでに備蓄された防災用備蓄品を、効率よく管理するものであり、予め備えるべき防災用備蓄品の準備については何の言及もされていない。防災用備蓄品を用意するうえで問題となるのは、どのような種類の防災用備蓄品を用意すれば良いのか、備蓄品の選定の困難性や、また、それらを用意するための経費の問題であり、さらには、使用期限や賞味期限のある備蓄品の期限管理の問題である。これらの問題点は、適正な防災用備蓄品の準備が行き渡らない原因の一つとなっている。
【０００８】
本発明は、かかる事情に鑑みてなされたものであって、企業やその他の団体又は一般家庭等のユーザーが防災用備蓄品を備蓄するにあたり、それらを購買するもではなく、レンタルやリース等の貸与手段により、一定期間レンタルまたはリースするシステムであって、提供する防災用備蓄品を予め選定しセット品として提供し、個別の商品選定が不要で、初期費用の負担が少ない、又は不要な防災用備蓄品貸与システムを提供することを目的とする。
【０００９】
また、本発明の他の目的は、商品の使用期限や賞味期限等の期限管理の不要な防災用備蓄品貸与システムを提供することを目的とする。さらに、本発明の他の目的は、貸与期間中に災害による備蓄品の使用があっても無償で、又は非常に少ない負担で、新たな防災用備蓄品を貸与する防災用備蓄品貸与システムを提供することを目的とする。
【課題を解決するための手段】
【００１０】
請求項１に記載の防災用備蓄品貸与システムは、予め選定された防災用備蓄品群の中からユーザーが選定する備蓄品を、前記ユーザーに対して、所定の貸与期間において貸与する防災用備品貸与システムであって、前記防災用備蓄品群を記憶する防災用備蓄品記憶手段と、前記防災用備蓄品群の供給の管理を行う防災用備蓄品供給管理手段と、前記防災用備蓄品群の備蓄の品質保証期間または／及び賞味期間の期限管理を行う防災用備蓄品期限管理手段とを備え、前記ユーザーは、前記防災用備蓄品記憶手段に記憶された前記防災用備蓄品群から貸与される備蓄品を選択し、前記防災用備蓄品供給管理手段から防災用備蓄品群の供給を受け、前記防災用備蓄品期限管理手段により、防災用備蓄品群の管理が行われてなることを特徴とする。
【００１１】
請求項１に記載の防災用備蓄品貸与システムにあっては、予め選定された防災用備蓄品群の中からユーザーが選定する備蓄品を、前記ユーザーに対して、所定の貸与期間において貸与する防災用備品貸与システムであって、前記防災用備蓄品群を記憶する防災用備蓄品記憶手段と、前記防災用備蓄品群の供給の管理を行う防災用備蓄品供給管理手段と、
前記防災用備蓄品群の備蓄の品質保証期間または／及び賞味期間の期限管理を行う防災用備蓄品期限管理手段とを備え、前記ユーザーは、前記防災用備蓄品記憶手段に記憶された前記防災用備蓄品群から貸与される備蓄品を選択し、前記防災用備蓄品供給管理手段から防災用備蓄品群の供給を受け、前記防災用備蓄品期限管理手段により、防災用備蓄品群の管理が行われるので、企業やその他の団体又は一般家庭等のユーザーが防災用備蓄品を備蓄するにあたり、必要な備蓄品を購買するのではなく、レンタルやリース等の貸与手段により提供することができ、貸与する防災用備蓄品を予め選定された防災用備蓄品群の中からユーザーが選定して提供でき、個別の備蓄品選定が不要で、レンタルまたはリース料金等の貸与料金を初期費用なしの月次払いとすることにより、初期費用の不要な又は負担が少ない防災用備蓄品貸与システムを提供することができる。
【００１２】
請求項２に記載の防災用備蓄品貸与システムは、請求項１に記載の防災用備蓄品貸与システムにおいて、前記防災用備蓄品記憶手段は、前記選定された防災用備蓄品群からさらに最小限必要であると認められる防災用備蓄品群を一つのパッケージとして記憶する防災用備蓄品セット記憶手段を含めてなることを特徴とする。
【００１３】
請求項２に記載の防災用備蓄品貸与システムにあっては、提供する防災用備蓄品を予めセット品として選定し提供するので、個別の商品選定が不要となり、商品選定が非常に用意となる。
【００１４】
請求項３に記載の防災用備蓄品貸与システムは、請求項１又は２に記載の防災用備蓄品貸与システムにおいて、前記貸与期間を、前記防災用備蓄品群に含まれる備蓄品の品質保証期間及び賞味期間のうち最短の期間と同期間またはそれより短い期間として設定してなることを特徴とする。
【００１５】
請求項３に記載の防災用備蓄品貸与システムにあっては、前記貸与期間内に商品の品質保証期間及び賞味期間が経過することがないので、別途商品の品質保証期間または賞味期間管理を行う手間が省ける。
【００１６】
請求項４に記載の防災用備蓄品貸与システムは、請求項１乃至３の何れか一に記載の防災用備蓄品貸与システムにおいて、前記防災用備蓄品供給管理手段は、前記貸与期間中に災害によって使用された防災用備蓄品を無償で補填する無償補充手段を含むことを特徴とする。
【００１７】
請求項４に記載の防災用備蓄品貸与システムにあっては、前記ユーザーは前記貸与期間中は、災害によって防災用備蓄品を使用しても無償で補充されるため、前記貸与期間中であれば、別途新しく貸与契約を行わなくても、防災用備蓄品は確保される。
【００１８】
請求項５に記載の防災用備蓄品貸与システムは、請求項１乃至４の何れか一に記載の防災用備蓄品貸与システムにおいて、前記防災用備蓄品の貸与は、レンタル会社が前記ユーザーに対して前記防災用備蓄品をレンタルすることにより行うことを特徴とする。
【００１９】
請求項５に記載の防災用備蓄品貸与システムにあっては、レンタル会社が行うことができ、特段の事業経費を掛けなくとも、用意に防災用備蓄品貸与システムを提供することができる。
【００２０】
請求項６に記載の防災用備蓄品貸与システムは、請求項１乃至４の何れか一に記載の防災用備蓄品貸与システムにおいて、前記防災用備蓄品の貸与は、前記防災用備蓄を供給するサプライヤーがリース方式にて行うことを特徴とする。
【００２１】
請求項６に記載の防災用備蓄品貸与システムにあっては、サプライヤーがリース方式にて運用できるので、サプライヤーの経営負担が軽減することができる。
【００２２】
請求項７に記載の防災用備蓄品貸与システムは、請求項１乃至６の何れか一に記載の防災用備蓄品貸与システムにおいて、貸与された前記防災用備蓄品の商品情報を、前記ユーザーがインターネット上で閲覧することのできる閲覧システムを備えてなることを特徴とする。
【００２３】
請求項７に記載の防災用備蓄品貸与システムにあっては、前記ユーザーは自己の備蓄している防災用備蓄品の確認を用意に行うことができる。
【００２４】
請求項８に記載の防災用備蓄品貸与方法は、予め選定された防災用備蓄品群の中からユーザーが選定する備蓄品を、前記ユーザーに対して、所定の貸与期間において貸与する防災用備品貸与方法であって、前記防災用備蓄品群を記憶する防災用備蓄品記憶手段と、前記防災用備蓄品群の供給の管理を行う防災用備蓄品供給管理手段と、前記防災用備蓄品群の商品の品質保証期間または／及び賞味期間の期限管理を行う防災用備蓄品期限管理手段とを備え、前記ユーザーが前記防災用備蓄品記憶手段に記憶された前記防災用備蓄品群から貸与される備蓄品を選択するステップと、前記ユーザーが前記防災用備蓄品供給管理手段から防災用備蓄品群の供給を受けるステップと、前記防災用備蓄品期限管理手段により、前記防災用備蓄品群の管理が行われるステップとを備えるてなることを特徴とする。
【００２５】
請求項８に記載の防災用備蓄品貸与方法にあっては、企業やその他の団体又は一般家庭等のユーザーが防災用備蓄品を備蓄するにあたり、それらを購買するもではなく、レンタルやリース等の貸与手段により、一定期間レンタルまたはリースするシステムであって、提供する防災用備蓄品を予め選定し提供し、個別の商品選定が不要で、レンタルまたはリース料金を初期費用なしの月次払いとすることにより、初期費用の負担が少ない、又は不要な防災用備蓄品貸与システムを提供することができる。
【００２６】
請求項９に記載の防災用備蓄品貸与方法は、請求項８に記載の防災用備蓄品貸与方法において、前記防災用備蓄品記憶手段は、前記選定された防災用備蓄品群からさらに最小限必要であると認められる防災用備蓄品群を一つのパッケージとして記憶する防災用備蓄品セット記憶手段を含めてなることを特徴とする。
【００２７】
請求項９に記載の防災用備蓄品貸与方法にあっては、提供する防災用備蓄品を予めセット品として選定し提供するので、個別の商品選定が不要となり、商品選定が非常に用意となる。
【００２８】
請求項１０に記載の防災用備蓄品貸与方法は、請求項８又は９に記載の防災用備蓄品貸与方法において、前記貸与期間は、前記防災用備蓄品群に含まれる備蓄品の品質保証期間及び賞味期間のうち最短の期間と同期間またはそれより短い期間として設定されるステップを備えてなることを特徴とする。
【００２９】
請求項１０に記載の防災用備蓄品貸与方法にあっては、前記貸与期間内に商品の品質保証期間及び賞味期間が経過することがないので、別途商品の品質保証期間または賞味期間管理を行う手間が省ける。
【００３０】
請求項１１に記載の防災用備蓄品貸与方法は、請求項８乃至１０の何れか一に記載の防災用備蓄品貸与方法において、前記防災用備蓄品供給管理手段は、前記貸与期間中に災害によって使用された防災用備蓄品を無償で補填する無償補充手段を含めるステップを備えてなることを特徴とする。
【００３１】
請求項１１に記載の防災用備蓄品貸与方法にあっては、前記ユーザーは前記貸与期間中は、災害によって防災用備蓄品を使用しても無償で補充されるため、前記貸与期間中であれば、別途新しく貸与契約を行わなくても、防災用備蓄品は確保される。
【発明の効果】
【００３２】
請求項１に記載の防災用備蓄品貸与システムによれば、予め選定された防災用備蓄品群の中からユーザーが選定する備蓄品を、前記ユーザーに対して、所定の貸与期間において貸与する防災用備品貸与システムであって、前記防災用備蓄品群を記憶する防災用備蓄品記憶手段と、前記防災用備蓄品群の供給の管理を行う防災用備蓄品供給管理手段と、前記防災用備蓄品群の備蓄の品質保証期間または／及び賞味期間の期限管理を行う防災用備蓄品期限管理手段とを備え、前記ユーザーは、前記防災用備蓄品記憶手段に記憶された前記防災用備蓄品群から貸与される備蓄品を選択し、前記防災用備蓄品供給管理手段から防災用備蓄品群の供給を受け、前記防災用備蓄品期限管理手段により、防災用備蓄品群の管理が行われるので、企業やその他の団体又は一般家庭等のユーザーが防災用備蓄品を備蓄するにあたり、必要な備蓄品を購買するのではなく、レンタルやリース等の貸与手段により提供することができ、貸与する防災用備蓄品を予め選定された防災用備蓄品群の中からユーザーが選定して提供でき、個別の備蓄品選定が不要で、レンタルまたはリース料金等の貸与料金を初期費用なしの月次払いとすることにより、初期費用の不要な又は負担が少ない防災用備蓄品貸与システムを提供することができる。
【００３３】
請求項２に記載の防災用備蓄品貸与システムによれば、請求項１に記載の防災用備蓄品貸与システムいおいて、請求項１に記載の防災用備蓄品貸与システムにおいて、前記防災用備蓄品記憶手段は、前記選定された防災用備蓄品群からさらに最小限必要であると認められる防災用備蓄品群を一つのパッケージとして記憶する防災用備蓄品セット記憶手段を含めているので、提供する防災用備蓄品を予めセット品として選定し提供するので、個別の備蓄品選定が不要となり、備蓄品選定が非常に用意となる。
【００３４】
請求項３に記載の防災用備蓄品貸与システムによれば、請求項１又は２に記載の防災用備蓄品貸与システムにおいて、前記貸与期間を、前記防災用備蓄品群に含まれる商品の品質保証期間及び賞味期間のうち最短の期間と同期間またはそれより短い期間として設定しているので、前記貸与期間内に商品の品質保証期間及び賞味期間が経過することがないので、別途商品の品質保証期間または賞味期間管理を行う手間が省ける。
【００３５】
請求項４に記載の防災用備蓄品貸与システムによれば、請求項１乃至３の何れか一に記載の防災用備蓄品貸与システムにおいて、前記防災用備蓄品供給管理手段は、前記貸与期間中に災害によって使用された防災用備蓄品を無償で補填する無償補充手段を含んでいるので、前記ユーザーは前記貸与期間中は、災害によって防災用備蓄品を使用しても無償で補充されるため、前記貸与期間中であれば、別途新しく貸与契約を行わなくても、防災用備蓄品は確保される。
【００３６】
請求項５に記載の防災用備蓄品貸与システムによれば、請求項１乃至４の何れか一に記載の防災用備蓄品貸与システムにおいて、前記防災用備蓄品の貸与は、レンタル会社が前記ユーザーに対して前記防災用備蓄品をレンタルすることにより行うことができるので、防災用備蓄品貸与システムをレンタル会社が提供することができ、特段の事業経費を掛けなくとも、用意に防災用備蓄品貸与システムを提供することができる。
【００３７】
請求項６に記載の防災用備蓄品貸与システムによれば、請求項１乃至４の何れか一に記載の防災用備蓄品貸与システムにおいて、前記防災用備蓄品の貸与は、前記防災用備蓄を供給するサプライヤーがリース方式にて行うことができるので、防災用備蓄品貸与システムを前記サプライヤーがリース方式にて運用できるので、サプライヤーの経営負担が軽減することができる。
【００３８】
請求項７に記載の防災用備蓄品貸与システムによれば、請求項１乃至６の何れか一に記載の防災用備蓄品貸与システムにおいて、貸与された前記防災用備蓄品の商品情報を、前記ユーザーがインターネット上で閲覧することのできる閲覧システムを備えているので、前記ユーザーは自己の備蓄している防災用備蓄品の確認を用意に行うことができる。
【００３９】
請求項８に記載の防災用備蓄品貸与方法にあっては、予め選定された防災用備蓄品群の中からユーザーが選定する備蓄品を、前記ユーザーに対して、所定の貸与期間において貸与する防災用備品貸与方法であって、前記防災用備蓄品群を記憶する防災用備蓄品記憶手段と、前記防災用備蓄品群の供給の管理を行う防災用備蓄品供給管理手段と、前記防災用備蓄品群の商品の品質保証期間または／及び賞味期間の期限管理を行う防災用備蓄品期限管理手段とを備え、前記ユーザーが前記防災用備蓄品記憶手段に記憶された前記防災用備蓄品群から貸与される備蓄品を選択するステップと、前記ユーザーが前記防災用備蓄品供給管理手段から防災用備蓄品群の供給を受けるステップと、前記防災用備蓄品期限管理手段により、前記防災用備蓄品群の管理が行われるステップとを備えるているので、企業やその他の団体又は一般家庭等のユーザーが防災用備蓄品を備蓄するにあたり、それらを購買するもではなく、レンタルやリース等の貸与手段により、一定期間レンタルまたはリースするシステムであって、提供する防災用備蓄品を予め選定し提供し、個別の商品選定が不要で、レンタルまたはリース料金を初期費用なしの月次払いとすることにより、初期費用の負担が少ない、又は不要な防災用備蓄品貸与システムを提供することができる。
【００４０】
請求項９に記載の防災用備蓄品貸与方法にあっては、請求項８に記載の防災用備蓄品貸与方法において、前記防災用備蓄品記憶手段は、前記選定された防災用備蓄品群からさらに最小限必要であると認められる防災用備蓄品群を一つのパッケージとして記憶する防災用備蓄品セット記憶手段を含めているので、提供する防災用備蓄品を予めセット品として選定し提供するので、個別の備蓄品選定が不要となり、備蓄品選定が非常に用意となる。
【００４１】
請求項１０に記載の防災用備蓄品貸与方法にあっては、請求項８又は９に記載の防災用備蓄品貸与方法において、前記貸与期間は、前記防災用備蓄品群に含まれる商品の品質保証期間及び賞味期間のうち最短の期間と同期間またはそれより短い期間として設定されるステップを備えているので、前記貸与期間内に商品の品質保証期間及び賞味期間が経過することがないので、別途商品の品質保証期間または賞味期間管理を行う手間が省ける。
【００４２】
請求項１１に記載の防災用備蓄品貸与方法は、請求項８乃至１０の何れか一に記載の防災用備蓄品貸与方法において、前記防災用備蓄品供給管理手段は、前記貸与期間中に災害によって使用された防災用備防災用備蓄品を無償で補填する無償補充手段を含めるステップを備えているので、前記ユーザーは前記貸与期間中は、災害によって防災用備蓄品を使用しても無償で補充されるため、前記貸与期間中であれば、別途新しく貸与契約を行わなくても、防災用備蓄品は確保される。
【図面の簡単な説明】
【００４３】
【図１】本発明の防災用備蓄品貸与システムの構成例を示すブロック図である。
【図２】管理装置の電気的構成を示すブロック図である。
【図３】顧客ＤＢに格納されているファイルのフォーマット例を示す概念図である。
【図４】商品ＤＢに格納されているファイルのフォーマット例を示す概念図である。
【図５】セット商品ＤＢに格納されているファイルのフォーマット例を示す概念図である。
【図６】在庫ＤＢに格納されているファイルのフォーマット例を示す概念図である。
【図７】受注ＤＢに格納されているファイルのフォーマット例を示す概念図である。
【図８】レンタルの基本業務の一例を示すフローチャートである。
【図９】レンタルの契約更新一例を示すフローチャートである。
【図１０】レンタルの防災用品の補充の一例を示すフローチャートである。
【図１１】リースの基本業務の一例を示すフローチャートである。
【図１２】リースの再リースのの一例を示すフローチャート
【図１３】リースの補充の一例を示すフローチャートである
【図１４】閲覧システムのの一例を示すフローチャートである。
【図１５】閲覧システムのログイン画面を示す模式図である。
【図１６】閲覧システムの商品閲覧画面を示す模式図である。
【図１７】貸与料金表の一例を示す模式図である。
【発明を実施するための形態】
【００４４】
以下、本発明を実施するための形態の一例を図面に基づいて具体的に説明する。
【００４５】
図１は、本発明の防災用備蓄品貸与システムの構成例を示すブロック図である。図１において、１０は本発明の防災用備蓄品貸与システムであり、Ｒ１はレンタル会社であり、Ｒ２はリース会社であり、Ｕはユーザー（主に法人ユーザー）であり、Ｓは防災用備蓄品ＥＳを前記ユーザーＵに供給し、又は回収するサプライヤーである。前記サプライヤーＳは倉庫ＷＨを備えると共に、防災用備蓄品貸与システム１０を管理する管理装置２０を備える。また、ＰＣはユーザーが備える通信端末である。前記管理装置２０、前記通信端末ＰＣは、通信回線ＮＷに接続されている。また、前記レンタル会社Ｒ１や前記リース会社Ｒ２の通信端末（図示なし）も前記通信回線ＮＷに接続されている。一方、前記サプライヤーＵの傘下には、種々の商品を取り扱う仕入先Ｓ１，Ｓ２，Ｓ３，Ｓ４・・・Ｓｎがある。
【００４６】
前記サプライヤーＳは、災害時に必要とされる備蓄品を予め選定しリストアップし前記管理装置２０に記憶させ、その中からさらに必要とされる商品を選定し備蓄品セット商品としてパッケージ化した商品群（以下、「セット商品」という。）６０を作成し、前記管理装置２０に記憶させる。そして、そのセット商品を一の商品として、防災用備蓄品を必要とする前記ユーザーＵに提示し、選択されたセット商品（及びオプション品）を供給するのである。そのとき、前記セット商品等は前記ユーザーＵに販売するのではなく、前記レンタル会社Ｒ１又は前記リース会社Ｒ２から、比較的長期間（例えば、５年）を設定し前記ユーザーＵに貸与するのである。そして貸与の代金は一括ではなく、貸与期間に応じて例えば月次に分割し、前記レンタル会社Ｒ１又は前記リース会社Ｒ２に納める。一方、前記防災用備蓄品ＥＳを前記ユーザーＵに供給した前記サプライヤーＳは、その代金は前記レンタル会社Ｒ１又は前記リース会社Ｒ２から（基本的には一括して）支払われるのである。
【００４７】
そして、前記ユーザーＵは、災害の発生により、前記防災用備蓄品ＥＳを使用した場合は、その貸与期間内である場合には前記防災用備蓄品ＥＳは原則無償で補充される。又は低額にて補充される。
【００４８】
したがって、前記ユーザーＵは、前記防災用備蓄品ＥＤを、多額な初期投資を必要とすることなく、（本実施例においては、初期費用なしで、）経済的な負担が少なく用意することができる。また、前記貸与期間内であると災害の発生により前記防災用備蓄品ＥＳを使用しても、無償で補充されるため、前記ユーザーＵの負担は一層少なくなる。
【００４９】
図２は、前記防災用備蓄品貸与システム１０の管理装置２０の電気的構成を示すブロック図である。図２に示すように、前記管理装置２０は、ＣＰＵ２１を有しており、前記ＣＰＵ２１は、ＲＡＭ２２、表示装置２３、通信Ｉ／Ｆ２４、記憶装置２５等と接続され、それらの制御を行う。
【００５０】
前記ＲＡＭ２３は、例えばＳＲＡＭ又はＤＲＡＭ等で構成され、コンピュータプログラムの実行時に発生する一時的なデータを記憶する。前記通信Ｉ／Ｆ２４は、インターネットや電話回線等の通信回線ＮＷを通じて外部と通信するためのインタフェースである。前記記憶装置２５は、前記管理装置２０の動作に必要な種々の  コンピュータプログラム及び各種のデータを格納している。また、前記記憶装置２５は、後述する５つのデータベース（顧客ＤＢ２６、商品ＤＢ２７、セット品ＤＢ２８、在庫ＤＢ２９、受注ＤＢ３０）を備えている。
【００５１】
図３は、前記顧客ＤＢ２６に格納されているファイルのフォーマット例を示す概念図である。図３に示すとおり、前記顧客ＤＢ２６に格納される顧客ファイル４０には、顧客コードフィールド４１、顧客名フィールド４２、住所フィールド４３、電話番号フィールド４４、ファクシミリ番号フィールド４５、メールアドレスフィールド４６を設けている。
【００５２】
図４は、前記商品ＤＢ２７に格納されているファイルのフォーマット例を示す概念図であり、図４に示すとおり、前記商品ＤＢ２７に格納される商品ファイル５０には、商品コードフィールド５１、商品名フィールド５２、販売価格フィールド５３、仕入先フィールド５４、納品期間フィールド５５を設けている。
【００５３】
図５は、前記セット品ＤＢ２８に格納されているファイルのフォーマット例を示す概念図であり、図５に示すとおり、前記セット品ＤＢ２８に格納されるセット品ファイル６０には、セット商品コードフィール６１、商品名フィールド６２、セット構成品コードフィールド６３、セット構成品名コードフィールド６３、セット構成品数量フィールド６５、仕入先フィールド６６を設けている。前記セット構成品数量フィールド６５は、その一セットに含まれる各構成品の数量を格納している。
【００５４】
図６は、前記在庫ＤＢ２９に格納されているファイルのフォーマット例を示す概念図であり、図６に示すとおり、前記在庫ＤＢ２９に格納される在庫商品ファイル７０には、商品コードフィールド７１、商品名フィールド７２、在庫数フィールド７３、仕入先フィールド７４、入荷日フィールド７５を設けている。
【００５５】
図７は、前記受注ＤＢ３０に格納されているファイルのフォーマット例を示す概念図であり、図７に示すとおり、前記在庫ＤＢ３０に格納される受注商品ファイル８０には、顧客コードコードフィールド８１、受注番号フィールド８２、受注日フィールド８３、出荷日フィールド８４、送状番号フィールド８５、商品コードフィールド８６、商品名コードフィールド８７、数量フィールド８８、元受注番号フィールド８９を設けている。本実施態様においては、貸与期間（レンタル期間、リース期間）は、前記出荷日フィールド８４に格納ｓだれた日付から起算しし、算出している。また、後述する補充フローにおいて、補充注文があった場合には新たな受注コード及び受注番号が付与されるが、元の受注コード及び受注番号と関連づけるため、前記元受注番号フィールド８９に元の受注番号が格納されている。
【００５６】
次に本発明の防災用備蓄品貸与システムの流れについて説明する。図８から図１０は前記防災用備蓄品ＥＳを前記レンタル会社Ｒ１が前記ユーザーＵにレンタルするシステムの動作の一例を示すフローチャートであり、図８はレンタルの基本業務の一例を示すフローチャートであり、図９は更新業務の一例を示すフローチャートであり、図１０は防災用品ＥＳの補充業務の一例を示すフローチャートである。
【００５７】
図８に示すように、先ず、前記サプライヤーＳは、防災の知識を有する者、例えば、防災士等の助言や国の指導指針に基づいて、災害時に必要な防災用品を選定し、防災用備蓄品ＥＳとしてその商品の商品名４２，販売価格４３，仕入先４４，納品期間４５等を前記商品ＤＢ２７に格納する（ＳＴ１０１）。さらに、主にその中から、特に必要と考えられる複数の防災用備蓄品ＥＳを一つの商品群として防災用備蓄品セットＳＴとしてパッケージ化したものを一の商品として、商品名を付与し（例えば、防災セットＡ）、セット商品コード５１、商品名４２、構成商品コード５３、構成商品名５４，構成商品数５５，仕入先５６等を前記商品ＤＢ２７に格納し（ＳＴ１０２）し、それらの情報を前記レンタル会社Ｒ１に送る（ＳＴ１０３）。
【００５８】
前記レンタル会社Ｒ１は、商品情報を受け（ＳＴ１０４）、それらの情報を前記ユーザーＵに提示する（ＳＴ１０５）。前記ユーザーＵは、商品情報を受け取り（ＳＴ１０６）、自社の社員数や想定される災害の種類等を勘案し、必要と思われる前記防災用備蓄品セットを選択し（ＳＴ１０７）、さらに必要と思われる商品があれば、前記商品ＤＢ２７に格納された商品群の中からオプションとしてセット以外の商品も追加選択し（ＳＴ１０８）、選択した防災用備蓄品ＥＳ情報を前記レンタル会社Ｒ１に送り（ＳＴ１０９）、レンタルの申し込みを行う。
【００５９】
前記ユーザーＵのレンタルの申し込みと必要とする前記防災用備蓄品ＥＳ情報（発注情報）を受け取った前記レンタル会社Ｒ１は、前記ユーザーＵとレンタル契約を締結し（ＳＴ１１１）、前記防災用備蓄品ＥＳ情報とユーザー情報（ユーザー名、ユーザーコード）を前記サプライヤーＳに送る（ＳＴ１０１）。
【００６０】
前記レンタル会社Ｒ１から前記ユーザーＵのユーザー情報と前記防災用備蓄品ＥＳ情報（発注情報）を受け取った前記サプライヤーＳは、前記顧客ＤＢ２６からユーザーコードに基づき他のユーザー情報（住所、電話番号、ファクシミリ番号、メールアドレス等）を出力し（ＳＴ１１３）、さらに、前記商品ＤＢ２７及びセット品ＤＢ２８から商品名や金額等を出力し（ＳＴ１１４）、前記在庫ＤＢから発注商品の在庫引き当てを行う（ＳＴ１１５）。このとき、在庫商品の使用期限及び賞味期限を確認し、予定出荷日から起算したレンタル期間よりも期間の長いものとする。そして、在庫の有無を確認し（ＳＴ１１６）、在庫が有る場合（ＳＴ１１６でＹＥＳ）は、受注を確定し、前記受注ＤＢ３０に受注データを格納する（ＳＴ１１９）。在庫がない場合（ＳＴ１１６でＮＯ）は、仕入先Ｓ１〜Ｓｎに不足商品を発注し（ＳＴ１１７）、不足商品を入荷し（ＳＴ１１８）、商品を揃えてから受注を確定し、前記受注ＤＢ３０に受注データを格納する（ＳＴ１１９）。そして、商品のセット組を行い（ＳＴ１２０）、前記防災用備蓄品ＥＳとして前記ユーザーＵに出荷する（ＳＴ１２０）と共に、出荷情報を前記受注ＤＢ３０に格納する。そして、前記ユーザーＵ及び前記レンタル会社Ｒ１に、出荷情報及び閲覧ＩＤとパスワード送る（ＳＴ１２２）。前記閲覧ＩＤとパスワードは、前記ユーザーＵが発注したレンタル商品をインターネット上で閲覧できるように作成した閲覧画面のアクセスＩＤとパスワードである。そして、前記受注ＤＢ３０及びセット品ＤＢ２８に格納した情報から閲覧画面（図１６参照）を作成し、ＷＥＢ上に登録する（ＳＴ１２５）。そして、前記受注ＤＢ３０の出荷日情報からレンタル期限を算出し、期限管理を行う（ＳＴ１２６）。
【００６１】
前記ユーザーＵは発送された防災用備蓄品ＥＳを受け取り（ＳＴ１２１）、前記出荷情報及び閲覧ＩＤ並びにパスワードを受け取る（ＳＴ１２４）。そして、前記レンタル会社Ｒ１の請求に基づき、レンタル料を月々一定額支払う（ＳＴ１３１）。
【００６２】
一方、前記サプライヤーＳは、出荷した防災用備蓄品ＥＳの請求を前記レンタル会社Ｒ１に行い（ＳＴ１２７）、前記レンタル会社Ｒ１は、前記請求に基づき代金を支払い（ＳＴ１２９）、前記サプライヤーＳは、代金を受け取る（ＳＴ１３０）。前記レンタル会社Ｒ１は、前記ユーザーＵから月々のレンタル料金を受け取る（ＳＴ１３２）。
【００６３】
前記レンタル料金は、図１７に示すように、例えば、月々の一定額、セット商品は一名に必要な量を、たとえば、数名単位でセットし、提供するので、前記ユーザーＵの社員数（家族数、構成員数）に併せて選択できるため、防災用備蓄品ＥＳを導入しやすく、初期費用が不要で、かつ月々の料金把握が容易で、定額予算にて導入が可能となる。
【００６４】
さらに、前記レンタル期間は、防災用備蓄品ＥＳに含まれる商品のうち、最短の使用期限及び賞味期限の最短日と一致させているため、前記レンタル期間中に個々の備蓄品の使用期限又は賞味期限が経過することがないため、別途の個々の商品の使用期限又は賞味期限の管理を行う必要はなくなる。
【００６５】
図９は、レンタル契約を更新する場合のフローチャートであり、前記レンタル契約の契約期間が終了し、さらにレンタル契約を更新する場合は、図９に示すように、前記サプライヤーＳは、前記受注ＤＢの出荷日情報から算出したレンタル期間を基に、レンタル期間を管理しており（ＳＴ２０１及び図８、ＳＴ１２６）、レンタル期間満了前に前記レンタル会社Ｒ１にその旨を通知する（ＳＴ２０２）。レンタル期間満了前の通知を受けた前記レンタル会社Ｒ１は（ＳＴ２０３）、その旨を前記ユーザーＵに通知する（ＳＴ２０４）。そして、レンタル期間満了前の通知を受けた前記ユーザーＵは（ＳＴ２０５）、更新の有無の判断を行い（ＳＴ２０６）、更新を行わない場合は（ＳＴ２０６でＮＯ）、更新を行わない旨の通知を前記レンタル会社Ｒ１に行い（ＳＴ２１１）、前記レンタル会社Ｒ１はそれを受け（ＳＴ２１２）、その情報を前記サプライヤーＳに送り（ＳＴ２１３）、その情報を受けた前記サプライヤーＳは（ＳＴ２１４）、前記ユーザーＵの元にある防災用備蓄品ＥＳを回収する（ＳＴ２１５）。
【００６６】
一方、前記ユーザーＵがレンタル契約を更新する場合は（ＳＴ２０６でＹＥＳ）、その旨を前記レンタル会社Ｒ１に送り（ＳＴ２０７）、その情報を受け取った前記レンタル会社Ｒ１は（ＳＴ２０８）、レンタル契約の更新を行い（ＳＴ２０９）、更新する旨の情報及びユーザーコードを前記サプライヤーＳに送る（ＳＴ２１０）。
【００６７】
更新情報及びユーザーコードを受け取った前記サプライヤーＳは（ＳＴ２１６）、前記顧客ＤＢ２６からユーザーコードに基づき他のユーザー情報（住所、電話番号、ファクシミリ番号、メールアドレス等）を出力し（ＳＴ２１７）、さらに、前記商品ＤＢ２７及びセット品ＤＢ２８から商品名や金額等を出力し（ＳＴ２１８）、前記在庫ＤＢから発注商品の在庫引き当てを行う（ＳＴ２１９）。そして、在庫の有無を確認し（ＳＴ２２０）、在庫が有る場合（ＳＴ２２０でＹＥＳ）は、受注を確定し、前記受注ＤＢ３０に受注データを格納する（ＳＴ２２３）。在庫がない場合（ＳＴ２２０でＮＯ）は、仕入先Ｓ１〜Ｓｎに不足商品を発注し（ＳＴ２２１）、不足商品を入荷し（ＳＴ２２２）、商品を揃えてから受注を確定し、前記受注ＤＢ３０に受注データを格納する（ＳＴ２２３）。そして、商品のセット組を行い、新たな前記防災用備蓄品ＥＳとして前記ユーザーＵに出荷すると共に、前回納品した旧防災用備蓄品ＥＳを回収し、出荷情報及び元受注番号を前記受注ＤＢ３０に格納する（ＳＴ２２４）。そして、前記ユーザーＵ及び前記レンタル会社Ｒ１に、出荷情報を送る（ＳＴ２２６）。前記ユーザーＵは、出荷情報及び新たな前記防災用備蓄品ＥＳ受け取ると共に旧防災用備蓄品ＥＳを前記サプライヤーＳに引き渡す（ＳＴ２２５）。前記レンタル会社Ｒ１も出荷情報を受け取る（ＳＴ２２９）。
【００６８】
前記更新の際は、前記防災用備蓄品ＥＳは全部取り替えるため、改めて、個々の商品の使用期限又は賞味期限の管理を行う必要はなくなる。
【００６９】
そして、前記サプライヤーＳは更新したＷＥＢ情報をＷＥＢに登録し（ＳＴ２２７）、更新した期限管理を行う（ＳＴ２２８）。そして、代金請求を前記レンタル会社Ｒ１に行い（ＳＴ２３１）、前記レンタル会社Ｒ１は請求を受け（ＳＴ２３２）、支払いを行い（ＳＴ２３３）、前記サプライヤーＳは入金を確認する（ＳＴ２３４）。
【００７０】
前記ユーザーＵは、前記レンタル会社Ｒ１に対してレンタル料金を支払い（ＳＴ２３５）、前記レンタル会社Ｒ１は入金を確認する（ＳＴ２３６）。
【００７１】
図１０は、災害が発生し、前記防災用備蓄品ＥＳを前記ユーザーＵが使用した場合に、レンタル期間内であれば、何度でも、（一災害毎に一回）無償で防災用備蓄品ＥＳを補充する補充フローチャートである。
【００７２】
前記防災用備蓄品ＥＳの補充を行う場合は、図１０に示すように、先ず、災害の発生により前記防災用備蓄品ＥＳを使用した前記ユーザーＵは（ＳＴ３０１）、その旨を前記レンタル会社Ｒ１に、その旨を通知する（ＳＴ３０２）。前記通知を受けた前記レンタル会社Ｒ１（ＳＴ３０３）は、使用情報及びユーザーコード等を前記サプライヤーＳに送る（ＳＴ３０４）。前記使用情報及びユーザーコード等を受けた前記サプライヤーＳ（ＳＴ３０５）は、災害状況を確認し（ＳＴ３０６）、災害であったどうか（ＳＴ３０７）、及びその災害がレンタル期間内かどうか（ＳＴ３０８）を判断する。災害でなかった場合（ＳＴ３０７でＮＯ）及び災害であってもレンタル期間を過ぎていた場合（ＳＴ３０８でＮＯ）は、補充はおこなわれない。
【００７３】
一方、災害であって（ＳＴ３０７でＹＥＳ）、レンタル期間内である場合（ＳＴ３０８でＹＥＳ）は、前記顧客ＤＢ２６からユーザーコードに基づき他のユーザー情報（住所、電話番号、ファクシミリ番号、メールアドレス等）を出力し（ＳＴ３０９）、さらに、前記商品ＤＢ２７及びセット品ＤＢ２８から商品名や金額等を出力し（ＳＴ３１０）、前記在庫ＤＢから発注商品の在庫引き当てを行う（ＳＴ３１１）。そして、在庫の有無を確認し（ＳＴ３１２）、在庫が有る場合（ＳＴ３１２でＹＥＳ）は、受注を確定し、前記受注ＤＢ３０に受注データを格納する（ＳＴ３１５）。在庫がない場合（ＳＴ３１２でＮＯ）は、仕入先Ｓ１〜Ｓｎに不足商品を発注し（ＳＴ３１３）、不足商品を入荷し（ＳＴ３１４）、商品を揃えてから補充を確定し、前記受注ＤＢ３０に受注データを格納する（ＳＴ３１５）。そして、商品のセット組を行い、補充の前記防災用備蓄品ＥＳとして前記ユーザーＵに出荷すると共に、使用した残りの防災用備蓄品ＥＳを回収し、出荷情報及び補充情報を前記受注ＤＢ３０に格納する（ＳＴ３１６）。そして、前記ユーザーＵ及び前記レンタル会社Ｒ１に、出荷情報を送る（ＳＴ３１８）。前記ユーザーＵは、新たな前記防災用備蓄品ＥＳ受け取ると共に使用した残りの防災用備蓄品ＥＳを前記サプライヤーＳに引き渡す（ＳＴ３１７）。また、前記ユーザーＵ及び前記レンタル会社Ｒ１も出荷情報を受け取る（ＳＴ３１９、ＳＴ３２０）。
【００７４】
この場合においても、前記防災用備蓄品ＥＳは全部取り替えられるため、改めて、個々の商品の使用期限又は賞味期限の管理を行う必要はなくなる。
【００７５】
そして、前記サプライヤーＳは補充したＷＥＢ情報をＷＥＢに登録し（ＳＴ３２１）、期限管理を行う（ＳＴ３２２）。補充の場合は補充品の代金の支払いは別途発生しない。レンタル料金及びレンタル期間は従前のままである。なお、本実施態様においては、補充は無償としたが、非常に低額の料金を請求できるようにしても良い。
【００７６】
図１１から図１４は、防災用備蓄品ＥＳの貸与方式をリース方式とした場合の手続きの一例を示すフローチャートであり、図１１はリースの基本業務業務の一例を示すフローチャートであり、図１２は再リース業務の一例を示すフローチャートであり、図１３はリースにおける補充業務の一例を示すフローチャートである。
【００７７】
図１１に示すように、先ず、前記サプライヤーＳは、レンタルと同様に、防災の知識を有する者、例えば、防災士等の助言や国の指導指針に基づいて、災害時に必要な防災用品を選定し、防災用備蓄品ＥＳとしてその商品の商品名４２，販売価格４３，仕入先４４，納品期間４５等を前記商品ＤＢ２７に格納する（ＳＴ４０１）。さらに、主にその中から、特に必要と考えられる複数の防災用備蓄品ＥＳを一つの商品群として防災用備蓄品セットＳＴとしてパッケージ化したものを一の商品として、商品名を付与し（例えば、防災セットＡ）、セット商品コード５１、商品名４２、構成商品コード５３、構成商品名５４，構成商品数５５，仕入先５６等を前記商品ＤＢ２７に格納し（ＳＴ４０２）し、それらの情報を前記ユーザーＵに知らせる（ＳＴ４０３）。
【００７８】
前記ユーザーＵは、商品情報を受け取り（ＳＴ４０４）、自社の社員数や想定される災害の種類等を勘案し、必要と思われる前記防災用備蓄品セットＳＴを選択し（ＳＴ４０５）、さらに必要と思われる商品があれば、前記商品ＤＢ２７に格納された商品群の中からオプションとしてセット以外の商品も追加選択し（ＳＴ４０６）、選択した防災用備蓄品ＥＳ情報を前記サプライヤーＳに送り（ＳＴ４０７）、リースの申し込みを行う。
【００７９】
前記ユーザーＵのリースの申し込みと必要とする前記防災用備蓄品ＥＳ情報（発注情報）を受け取った前記サプライヤーＳは（ＳＴ４０８）、前記ユーザーＵのリース申し込み情報を前記リース会社Ｒ２に送り（ＳＴ４０９）、前記リース会社Ｒ２は、それを受けて（ＳＴ４１０）、リース審査を行い、審査情報を前記サプライヤーＳに送る（ＳＴ４１１）。前記サプライヤーＳは、前記リース会社Ｒ２から審査情報を受け取り（ＳＴ４１２）、リース審査に通った場合は、前記顧客ＤＢ２６からユーザーコードに基づき他のユーザー情報（住所、電話番号、ファクシミリ番号、メールアドレス等）を出力し（ＳＴ４１３）、さらに、前記商品ＤＢ２７及び前記セット品ＤＢ２８から商品名や金額等を出力し（ＳＴ４１４）、前記在庫ＤＢから発注商品の在庫引き当てを行う（ＳＴ４１５）。このとき、在庫商品の使用期限及び賞味期限を確認し、予定出荷日から起算したリース期間よりも期間の長いものとする。そして、在庫の有無を確認し（ＳＴ４１６）、在庫が有る場合（ＳＴ４１６でＹＥＳ）は、受注を確定し、前記受注ＤＢ３０に受注データを格納する（ＳＴ４１９）。在庫がない場合（ＳＴ４１６でＮＯ）は、仕入先Ｓ１〜Ｓｎに不足商品を発注し（ＳＴ４１７）、不足商品を入荷し（ＳＴ４１８）、商品を揃えてから受注を確定し、前記受注ＤＢ３０に受注データを格納する（ＳＴ４１９）。そして、商品のセット組を行い、前記防災用備蓄品ＥＳとして前記ユーザーＵに出荷する（ＳＴ４２０）と共に、出荷情報を前記受注ＤＢ３０に格納する。そして、前記ユーザーＵ１に、出荷情報及び閲覧ＩＤとパスワード送る（ＳＴ４２２）。前記閲覧ＩＤとパスワードは、前記ユーザーＵが発注したレンタル商品をインターネット上で閲覧できるように作成した閲覧画面のアクセスＩＤとパスワードである。そして、前記受注ＤＢ３０及びセット品ＤＢ２８に格納した情報から閲覧画面（図１６参照）を作成し、ＷＥＢ上に登録する（ＳＴ４２４）。そして、前記受注ＤＢ３０の出荷日情報からレンタル期限を算出し、期限管理を行う（ＳＴ４２５）。
【００８０】
前記ユーザーＵは発送された防災用備蓄品ＥＳを受け取り（ＳＴ４２１）、前記出荷情報及び閲覧ＩＤ並びにパスワードを受け取る（ＳＴ４２３）。そして、前記リース会社Ｒ２の請求に基づき、リース料を月々一定額支払う（ＳＴ４３０）。
【００８１】
一方、前記サプライヤーＳは、出荷した防災用備蓄品ＥＳの請求を前記リース会社Ｒ２に行い（ＳＴ４２６）、前記リース会社Ｒ２は、前記請求に基づき（ＳＴ４２７）代金を支払い（ＳＴ４２８）、前記サプライヤーＳは、商品代金を受け取る（ＳＴ１３０）。前記レンタル会社Ｒ１は、前記ユーザーＵから月々のリース料金を受け取る（ＳＴ４２９）。
【００８２】
前記リース料金は、図１７に示すレンタル料金に準じたものとして、例えば、月々の一定額、セット商品は一名に必要な量を、たとえば、数名単位でセットし、提供するので、前記ユーザーＵの社員数（家族数、構成員数）に併せて選択できるため、防災用備蓄品ＥＳを導入しやすく、初期費用が不要で、かつ月々の料金把握が容易で、定額予算にて導入が可能となる。
【００８３】
さらに、前記リース期間は、防災用備蓄品ＥＳに含まれる商品のうち、最短の使用期限又は賞味期限の最短日と一致させているため、前記リース期間中に個々の商品の使用期限又は賞味期限が経過することがないため、別途の個々の商品の使用期限又は賞味期限の管理を行う必要はなくなる。
【００８４】
図１２は、再リース契約を更新する場合のフローチャートであり、前記リース契約の契約期間が終了し、さらに再リース契約を行う場合は、図１１に示すように、、先ず、前記サプライヤーＳは、前記受注ＤＢの出荷日情報から算出したリース期間（ＳＴ５０１）を基に、リース期間を管理しており、リース期間満了前に前記ユーザーＵにその旨を通知する（ＳＴ５０２）。リース期間満了前の通知を受けた前記ユーザーＵ（ＳＴ５０３）は、再リースの有無の判断を行い（ＳＴ５０４）、再リースを行わない場合は（ＳＴ５０４でＮＯ）、再リースを行わない旨の通知を前記サプライヤーＳに行い（ＳＴ５０８）、前記前記サプライヤーＳはそれを受け（ＳＴ５０９）、前記ユーザーＵの元にある防災用備蓄品ＥＳを回収する（ＳＴ５１０）。
【００８５】
一方、前記ユーザーＵが再リース契約を行う場合は（ＳＴ５０４でＹＥＳ）、その旨を前記サプライヤーＳに送り（ＳＴ５０５）、その情報を受け取った前記サプライヤーＳ（ＳＴ５０６）は、前記ユーザーＵの再リース申し込み情報を前記リース会社Ｒ２に送り（ＳＴ５０７）、前記リース会社Ｒ２は、それを受けて（ＳＴ５１１）、再リース審査を行い（ＳＴ５１２）、審査情報を前記サプライヤーＳに送る（ＳＴ５１３）。前記サプライヤーＳは、前記リース会社Ｒ２から審査情報を受け取り（ＳＴ５１４）、再リース審査に通った場合は、前記顧客ＤＢ２６からユーザーコードに基づき他のユーザー情報（住所、電話番号、ファクシミリ番号、メールアドレス等）を出力し（ＳＴ５１５）、さらに、前記商品ＤＢ２７及びセット品ＤＢ２８から商品名や金額等を出力し（ＳＴ５１６）、前記在庫ＤＢから発注商品の在庫引き当てを行う（ＳＴ５１７）。そして、在庫の有無を確認し（ＳＴ５１８）、在庫が有る場合（ＳＴ５１８でＹＥＳ）は、受注を確定し、前記受注ＤＢ３０に受注データを格納する（ＳＴ５２１）。在庫がない場合（ＳＴ５１８でＮＯ）は、仕入先Ｓ１〜Ｓｎに不足商品を発注し（ＳＴ５１９）、不足商品を入荷し（ＳＴ５２０）、商品を揃えてから受注を確定し、前記受注ＤＢ３０に受注データを格納する（ＳＴ５２１）。そして、商品のセット組を行い、新たな前記防災用備蓄品ＥＳとして前記ユーザーＵに出荷すると共に、前回納品した旧防災用備蓄品ＥＳを回収する（ＳＴ５２２）。そして、出荷情報及び元受注番号を前記受注ＤＢ３０に格納する。前記ユーザーＵは、新たな前記防災用備蓄品ＥＳ受け取ると共に旧防災用備蓄品ＥＳを前記サプライヤーＳに引き渡す（ＳＴ５２３）。
【００８６】
前記再リースの際は、前記防災用備蓄品ＥＳは全部取り替えるため、改めて、個々の商品の使用期限又は賞味期限の管理を行う必要はなくなる。
【００８７】
前記サプライヤーＳは更新したＷＥＢ情報をＷＥＢに登録し（ＳＴ５２４）、更新した期限管理を行う（ＳＴ５２５）。そして、代金請求を前記リース会社Ｒ２に行い（ＳＴ５２６）、前記リース会社Ｒ２は請求を受け（ＳＴ５２７）、支払いを行い（ＳＴ５２８）、前記サプライヤーＳは入金を確認する（ＳＴ５２９）。
【００８８】
前記ユーザーＵは、前記リース会社Ｒ２に対して再リース料金を支払い（ＳＴ５３０）、前記リース会社Ｒ２は入金を確認する（ＳＴ５３１）。
【００８９】
図１３は、災害が発生し、前記防災用備蓄品ＥＳを前記ユーザーＵが使用した場合に、リース期間内であれば、何度でも、（一災害毎に一回）無償で防災用備蓄品ＥＳを補充する防災用備蓄品補充フローチャートである。防災用備蓄品ＥＳの補充を行う場合は、図１３に示すように、先ず、災害の発生により前記防災用備蓄品ＥＳを使用した前記ユーザーＵは（ＳＴ６０１）、その旨を前記サプライヤーＳに通知する（ＳＴ６０２）。前記通知を受けた前記サプライヤーＳ（ＳＴ６０３）は、災害状況を確認し（ＳＴ６０４）、災害であったどうか（ＳＴ６０５）、及びその災害がリース期間内かどうか（ＳＴ６０６）を判断する。災害でなかった場合（ＳＴ６０５でＮＯ）及び災害であってもリースを過ぎていた場合（ＳＴ６０６でＮＯ）は、補充はおこなわれない。一方、災害であって（ＳＴ６０５でＹＥＳ）、リース期間内である場合（ＳＴ６０６でＹＥＳ）は、前記リース会社Ｒ２に備蓄品使用情報を送り（ＳＴ６０７）、前記リース会社Ｒ２は備蓄品使用情報を受け取る（ＳＴ６０８）。
【００９０】
そして、前記サプライヤーＳは、前記顧客ＤＢ２６からユーザーコードに基づき他のユーザー情報（住所、電話番号、ファクシミリ番号、メールアドレス等）を出力し（ＳＴ６０９）、さらに、前記商品ＤＢ２７及びセット品ＤＢ２８から商品名や金額等を出力し（ＳＴ６１０）、前記在庫ＤＢから発注商品の在庫引き当てを行う（ＳＴ６１１）。そして、在庫の有無を確認し（ＳＴ６１２）、在庫が有る場合（ＳＴ６１２でＹＥＳ）は、受注を確定し、前記受注ＤＢ３０に受注データを格納する（ＳＴ６１５）。在庫がない場合（ＳＴ６１２でＮＯ）は、仕入先Ｓ１〜Ｓｎに不足商品を発注し（ＳＴ６１３）、不足商品を入荷し（ＳＴ６１４）、商品を揃えてから補充を確定し、前記受注ＤＢ３０に受注データを格納する（ＳＴ６１５）。そして、商品のセット組を行い、補充の前記防災用備蓄品ＥＳとして前記ユーザーＵに出荷すると共に、使用した残りの防災用備蓄品ＥＳを回収する（ＳＴ３１６）。そして、出荷情報及び補充情報を前記受注ＤＢ３０に格納する。そして、前記リース会社Ｒ２に、出荷情報を送る（ＳＴ６１８）。前記ユーザーＵは、新たな前記防災用備蓄品ＥＳ受け取ると共に使用した残りの防災用備蓄品ＥＳを前記サプライヤーＳに引き渡す（ＳＴ６１７）。また、前記リース会社Ｒ２も出荷情報を受け取る（ＳＴ６１９）。
【００９１】
この場合においても、前記防災用備蓄品ＥＳは全部取り替えられるため、改めて、個々の商品の使用期限又は賞味期限の管理を行う必要はなくなる。
【００９２】
前記サプライヤーＳは補充したＷＥＢ情報をＷＥＢに登録し（ＳＴ６２０）、期限管理を行う（ＳＴ３２１）。前記補充の場合は補充品の代金の支払いは別途発生しない。リース料金及び再リース期間は従前のままである。なお、本実施態様においては、補充は無償としたが、非常に低額の料金を請求できるようにしても良い。
【００９３】
図１４は、貸与された防災用備蓄品ＥＳの内容をインターネット上で閲覧できる閲覧システムのフローチャートであり、図１５は、閲覧システムのログイン画面であり、図１６は防災用備蓄品ＥＳ情報画面である。
【００９４】
本防災用備蓄品貸与システムにおいては、貸与された防災用備蓄品ＥＳの内容を、梱包を解かずに前記ユーザーＵが確認できるように、前記防災用備蓄品ＥＳ商品情報をインターネット上で閲覧できるシステムを備えている。
【００９５】
前記防災用備蓄品ＥＳ商品情報をを閲覧するには、図１４に示すように、先ず、前記ユーザーＵが前記サプライヤーＳのホームページ上に設定したログイン画面９０（図１５）のアクセス要求情報を送信し（ＳＴ７０１）、前記サプライヤーＳがその情報を受け取り（ＳＴ７０２）、ログイン画面９０（図１５）を送信する（ＳＴ７０３）。前記ユーザーＵはログイン画面８０を受け取り（ＳＴ７０４）、前記ログイン画面を表示し（ＳＴ７０５）、表示された画面中のログインＩＤの入力欄９１及びパスワードの入力欄９２に、それぞれログインＩＤ及びパスワードを入力し（ＳＴ７０６）、送信ボタン９３を押し、前記サプライヤーＳに送信する（ＳＴ７０７）。前記サプライヤーＳはパスワード等を受信し（ＳＴ７０８）、前記顧客ＤＢを参照し、顧客か否かを判断し（ＳＴ７０９）、顧客でなければ（ＳＴ７０９でＮＯ）、その旨を送信し（ＳＴ７１０）、前記ユーザーＵはその情報を受信し（ＳＴ７１１）、結果を表示して（ＳＴ７１２）終了する。一方、顧客である場合（ＳＴ７０９でＹＥＳ）は、前記受注ＤＢ３０、前記セット品ＤＢ２８を参照して、貸与した防災用備蓄品ＥＳの内容を表形式にした閲覧画面（図１６）を送信する（ＳＴ７１３）。前記ユーザーＵは前記画面情報を受信（ＳＴ７１４）して、表示する前記閲覧画面（図１６）が表示されて（ＳＴ７１５）、処理を終了する。
【００９６】
前記防災用備蓄品貸与システム１０は、上記の構成からなるため、企業やその他の団体又は一般家庭等のユーザーが防災用備蓄品を備蓄するにあたり、防災用備蓄品を購買する必要はなく、レンタルやリース等の貸与手段により、一定期間レンタルまたはリースして前記防災用備蓄品を備蓄でき、その備蓄に当たっては、提供される防災用備蓄品は予め選定されセット品として提供されるので、個別の備蓄品選定の手間が不要となり、初期費用の負担が少ない、又は不要な防災用備蓄品貸与システムが提供されることとなる。
【符号の説明】
【００９７】
Ｒ１・・・・レンタル会社
Ｒ２・・・・リース会社
Ｓ・・・・・サプライヤー
ＷＨ・・・・倉庫
Ｓ１〜Ｓｎ・・・仕入先
Ｕ・・・・・ユーザー
ＰＣ・・・・ユーザー通信端末
ＮＷ・・・・通信回線
ＥＳ・・・・防災用備蓄品
１０・・・・防災用備蓄品貸与システム
２０・・・・管理装置
２１・・・・ＣＰＵ
２２・・・・ＲＡＭ
２３・・・・表示装置
２４・・・・通信Ｉ／Ｆ
２５・・・・記憶装置
２６・・・・顧客データベース
２７・・・・商品データベース
２８・・・・在庫データベース
２９・・・・セット品データベース
３０・・・・受注データベース
４０・・・・顧客ファイル
４１・・・・顧客コードフィールド
４２・・・・顧客名フィールド
４３・・・・住所フィールド
４４・・・・電話番号フィールド
４５・・・・ファクシミリ番号フィールド
４６・・・・メールアドレスフィールド
５０・・・・商品ファイル
５１・・・・商品コードフィールド
５２・・・・商品名フィールド
５３・・・・販売価格フィールド
５４・・・・仕入先フィールド
５５・・・・納品期間フィールド
６０・・・・セット品ファイル
６１・・・・セット商品コードフィールド
６２・・・・商品名フィールド
６３・・・・セット構成品コードフィールド
６４・・・・セット構成品名コードフィールド
６５・・・・セット構成品数量フィールド
６６・・・・仕入先フィールド
７０・・・・在庫商品ファイル
７１・・・・商品コードフィールド
７２・・・・商品名フィールド
７３・・・・在庫数フィールド
７４・・・・仕入先フィールド
７５・・・・入荷日フィールド
８０・・・・受注商品ファイル
８１・・・・顧客コードコードフィールド
８２・・・・受注番号フィールド
８３・・・・受注日フィールド
８４・・・・出荷日フィールド
８５・・・・送状番号フィールド
８６・・・・商品コードフィールド
８７・・・・商品名コードフィールド
８８・・・・数量フィールド
８９・・・・元受注番号フィールド
９０・・・・ログイン画面
９１・・・・ログインＩＤボックス
９２・・・・パスワードボックス
９３・・・・画面表示ボタン
【図１】
2020160797.tif 000003
【図２】
2020160797.tif 000004
【図３】
2020160797.tif 000005
【図４】
2020160797.tif 000006
【図５】
2020160797.tif 000007
【図６】
2020160797.tif 000008
【図７】
2020160797.tif 000009
【図８】
2020160797.tif 000010
【図９】
2020160797.tif 000011
【図１０】
2020160797.tif 000012
【図１１】
2020160797.tif 000013
【図１２】
2020160797.tif 000014
【図１３】
2020160797.tif 000015
【図１４】
2020160797.tif 000016
【図１５】
2020160797.tif 000017
【図１６】
2020160797.tif 000018
【図１７】
2020160797.tif 000019